(57)【特許請求の範囲】
【請求項１】
少なくとも１つの検出対象を検出し、その検出レベルを電気信号のレベルに変換して出力する検出部と、
該検出部が出力した前記電気信号のレベルが所定の閾値を超えたか否かを判定する制御部と、
該制御部により前記電気信号のレベルが所定の閾値を超えたと判定されたとき、前記検出対象に応じた警報を出力する警報部と、
前記検出部、前記制御部および前記警報部にそれぞれ作動用電力を与える電池とを具備した電池式警報器であって、
さらに前記電池の電圧値を測定する電池電圧測定部を備え、
前記警報部によって前記警報が出力される場合に、
前記制御部が、前記電池電圧測定部が所定の第１電圧値以下の電圧値を測定したときに前記警報部の音声警報の出力を中止させ、その後、前記電池電圧測定部が前記第１電圧値を上回る電圧値を測定したときに前記音声警報の出力を行わせることを特徴とする電池式警報器。
【請求項２】
少なくとも１つの検出対象を検出し、その検出レベルを電気信号のレベルに変換して出力する検出部と、
該検出部が出力した前記電気信号のレベルが所定の閾値を超えたか否かを判定する制御部と、
該制御部により前記電気信号のレベルが所定の閾値を超えたと判定されたとき、前記検出対象に応じた警報を出力する警報部と、
前記検出部、前記制御部および前記警報部にそれぞれ作動用電力を与える電池とを具備した電池式警報器であって、
さらに前記電池の電圧値を測定する電池電圧測定部を備え、
前記警報部によって前記警報が出力される場合に、
前記制御部が、前記電池電圧測定部が所定の第１電圧値以下の電圧値を測定したときに前記警報部の音声警報の出力を中止させ、その後、前記電池電圧測定部が前記第１電圧値より高い所定の第２電圧値以上の電圧値を測定したときに前記音声警報の出力を行わせることを特徴とする電池式警報器。
【請求項３】
少なくとも１つの検出対象を検出し、その検出レベルを電気信号のレベルに変換して出力する検出部と、
該検出部が出力した前記電気信号のレベルが所定の閾値を超えたか否かを判定する制御部と、
該制御部により前記電気信号のレベルが所定の閾値を超えたと判定されたとき、前記検出対象に応じた警報を出力する警報部と、
前記検出部、前記制御部および前記警報部にそれぞれ作動用電力を与える電池とを具備した電池式警報器であって、
さらに前記電池の電圧値を測定する電池電圧測定部を備え、
前記警報部によって前記警報が出力される場合に、
前記制御部が、前記電池電圧測定部が所定の第１電圧値以下の電圧値を測定したときに前記警報部の音声警報の出力を中止させ、その後、前記電池電圧測定部が前記第１電圧値より大きい電圧値を測定しない場合であっても、所定時間が経過したときに前記音声警報の出力を行わせることを特徴とする電池式警報器。
【請求項４】
少なくとも１つの検出対象を検出し、その検出レベルを電気信号のレベルに変換して出力する検出部と、
該検出部が出力した前記電気信号のレベルが所定の閾値を超えたか否かを判定する制御部と、
該制御部により前記電気信号のレベルが所定の閾値を超えたと判定されたとき、前記検出対象に応じた警報を出力する警報部と、
前記検出部、前記制御部および前記警報部にそれぞれ作動用電力を与える電池とを具備した電池式警報器であって、
さらに前記電池の電圧値を測定する電池電圧測定部を備え、
前記警報部によって前記警報が出力される場合に、
前記制御部が、前記電池電圧測定部が所定の第１電圧値以下の電圧値を測定したときに前記警報部の音声警報の出力を中止させ、前記電池電圧測定部が前記第１電圧値より高い所定の第２電圧値以上の電圧値を測定したときに前記音声警報の出力を行わせ、
前記音声警報の出力の中止後、前記電池電圧測定部が前記第２電圧値以上の電圧値を測定しない場合であっても、所定時間が経過したときに前記音声警報の出力を行わせることを特徴とする電池式警報器。
【請求項５】
請求項３または４に記載の電池式警報器であって、
前記所定時間の経過したときに出力される前記音声警報のパターンが、消費電流の最も少ないものであることを特徴とする電池式警報器。
【請求項６】
少なくとも１つの検出対象を検出し、その検出レベルを電気信号のレベルに変換して出力する検出部と、
該検出部が出力した前記電気信号のレベルが所定の閾値を超えたか否かを判定する制御部と、
該制御部により前記電気信号のレベルが所定の閾値を超えたと判定されたとき、前記検出対象に応じた警報を出力する警報部と、
前記検出部、前記制御部および前記警報部にそれぞれ作動用電力を与える電池とを具備した電池式警報器であって、
さらに前記電池の電圧値を測定する電池電圧測定部を備え、
前記警報部によって前記警報が出力される場合に、
前記電池電圧測定部が、音声警報の所定出力回数ごとに前記電池の電圧値の測定を行い、
前記制御部が、Ｎ回目に測定された電圧値とＮ＋１回目に測定された電圧値とを比較し、その差が所定の基準値よりも大きいときに、それ以後の前記音声警報の出力頻度を減少させることを特徴とする電池式警報器。
【請求項７】
少なくとも１つの検出対象を検出し、その検出レベルを電気信号のレベルに変換して出力する検出部と、
該検出部が出力した前記電気信号のレベルが所定の閾値を超えたか否かを判定する制御部と、
該制御部により前記電気信号のレベルが所定の閾値を超えたと判定されたとき、前記検出対象に応じた警報を出力する警報部と、
前記検出部、前記制御部および前記警報部にそれぞれ作動用電力を与える電池とを具備した電池式警報器であって、
さらに前記電池の電圧値を測定する電池電圧測定部を備え、
前記警報部によって前記警報が出力される場合に、
前記電池電圧測定部が、音声警報の所定出力回数ごとに前記電池の電圧値の測定を行い、
前記制御部が、Ｎ回目に測定された電圧値とＮ＋１回目に測定された電圧値とを比較し、その比率が所定の基準割合よりも大きいときに、それ以後の前記音声警報の出力頻度を減少させることを特徴とする電池式警報器。
【請求項８】
請求項１ないし７のいずれか１項に記載の電池式警報器であって、
前記警報部が、前記警報の出力に基づいて前記音声警報および警報表示を開始し、
前記音声警報の出力の中止または出力頻度の減少を行っている間であっても前記警報表示を継続して行うことを特徴とする電池式警報器。
【請求項９】
少なくとも１つの検出対象を検出し、その検出レベルを電気信号のレベルに変換して出力する検出部と、
該検出部が出力した前記電気信号のレベルが所定の閾値を超えたか否かを判定する制御部と、
該制御部により前記電気信号のレベルが所定の閾値を超えたと判定されたとき、前記検出対象に応じた警報を出力する警報部と、
前記検出部、前記制御部および前記警報部にそれぞれ作動用電力を与える電池とを具備した電池式警報器であって、
さらに前記電池の電圧値を測定する電池電圧測定部を備え、
前記制御部が、あらかじめ電圧値の所定範囲ごとに出力する音声警報の出力頻度を記憶し、
前記警報部が前記警報に基づいて前記音声警報および警報表示を出力する際に、
前記音声警報については、前記制御部が、前記電池電圧測定部が測定した電圧値とあらかじめ記憶された前記所定範囲ごとの電圧値とを比較し、それぞれに応じた出力頻度で出力させることを特徴とする電池式警報器。
【請求項１０】
請求項９に記載の電池式警報器であって、
あらかじめ記憶された電圧値の前記所定範囲ごとの前記音声警報の出力頻度が、前記電圧値が少ない数値となることに伴って前記出力頻度が減少するように設定されていることを特徴とする電池式警報器。
【請求項１１】
請求項９または１０に記載の電池式警報器であって、
あらかじめ記憶された電圧値の前記所定範囲ごとの前記音声警報の出力頻度が、最低でも前記検出部の検出周期の一周期ごとに１回は出力するように設定されていることを特徴とする電池式警報器。
【請求項１２】
請求項１ないし１１のいずれか１項に記載の電池式警報器であって、
前記電池と並列に接続され、前記制御部の指令を受けて前記電池から前記検出部、前記制御部および前記警報部に流れる合成最大電流値と略等しい電流を流す擬似負荷部を備え、
前記電池電圧測定部は、前記警報部によって前記警報が出力されていない状態で前記疑似負荷部に電流が流れているとき、前記電池の電圧値を測定することを特徴とする電池式警報器。
【請求項１３】
請求項１ないし１２のいずれか１項に記載の電池式警報器であって、
前記電池電圧測定部は、前記警報部によって前記警報が出力されている状態で前記音声警報の１回の出力のうち最も消費電力が大きくなるタイミングで前記電池の電圧値を測定することを特徴とする電池式警報器。
【発明の詳細な説明】
【技術分野】
【０００１】
本発明は、センサにより異常を検出して警報を発する警報器に関する。特に、電池を電源として使用する電池式警報器に関する。
【背景技術】
【０００２】
ガス警報器や火災警報器などの警報器では、電源として電池を使用する製品が提供されている。これらの電池式警報器の電池としては、長寿命化に最適なリチウム一次電池が使用されており、所定期間（例えば５年）、使用できるように設計されている。
【０００３】
警報器は、ガス漏れや不完全燃焼によるＣＯ発生や火災などを検出し、その異常を警報音や警報表示、外部出力などで周囲に知らせることが目的である。しかし、電池式警報器では、電池切れとなってしまった場合に、その目的が達成できなくなってしまう。
【０００４】
そのため、電池式警報器には、電池電圧の低下を検出して電池切れを事前に警報音などで使用者に知らせる機能（電池電圧低下警告機能）が具備されている。これにより、使用者は、機器が正常に動作しなくなる前に電池電圧の低下を検知でき、警報器が機能を損失する前に警報器本体の交換や電池の交換を行うことが可能となっている（例えば、特許文献１参照）。
【０００５】
具体的には、電池電圧低下の検出後（電池切れ警告中）、所定期間（例えば３日間）にわたって、電池電圧低下警告音（音声メッセージ「電池切れです」および、電子音「ピッ」の音声発報）を繰り返すことで、使用者に電池電圧の低下を知らせている。
このとき、電池電圧低下警告音による電池消耗をなるべく少なくするために、例えば、１０分毎に音声メッセージで知らせるとともに、１分毎に電子音で知らせるなどの方法が行われている。
【０００６】
なお、電池電圧低下の検出の方法は、一定時間毎（例えば２５時間毎）に擬似負荷に電池から大電流を流し、その時の電池電圧を検出し、電池電圧が所定の電圧値未満であるかを判定する電池電圧低下判定手段が知られている。ここで、擬似負荷は、回路の最大負荷に相当する抵抗値をもつ抵抗器で構成されている（例えば、特許文献２参照）。
【０００７】
このような従来の電池式警報器（例えば、ガス漏れ警報器）が、異常時（ガス漏れ警報時）に行うガス漏れ警報について、さらに、以下のとおり説明する。
〔従来の電池式警報器のガス漏れ警報の発報：図８〕
図８は、従来の電池式警報器の音声警報（ガス漏れ警報）の発報のタイムチャートを示す図である。
【０００８】
初期からＴ１までのガス検知では、所定ガス濃度（警報レベル）を超えていないため、周囲にガスがない状態であると判定し警報は行わない。ガス濃度が所定ガス濃度（警報レベル）以上となると音声警報と警報表示（警報ランプ表示：ＬＥＤ）を開始する（Ｔ１）。
【０００９】
ガス漏れ警報中は、「ウーウーピッピッピッピッ」の電子音と「ガスが漏れていませんか」の音声メッセージ（音声警報）を行うとともに、警報ランプにより警報表示を行う。音声警報と警報表示は、ガス漏れがなくなるまで連続して行われる（Ｔ１〜Ｔ２）。
【００１０】
その後、換気などによりガス濃度が徐々に低下して所定ガス濃度を下回ると、警報状態を解除して音声警報および警報表示を停止する（Ｔ２）。
一方、警報が数時間または数十時間継続するような場合（Ｔ３〜Ｔ４）には、電池消耗により電池電圧が徐々に低下する。これは、警報時においては、監視時（通常時）の１０００倍以上の消費電流となるためである。そのため、警報が長い時間継続すると、通常時を大きく上回るペースで電池電圧が徐々に低下してしまう。
そして、電池電圧が低下してきた状態にも関わらず、さらに警報状態が継続すると、機器の動作可能電圧を下回って機器が正常動作できなくなり、ガス漏れがあっても音声警報や警報表示を行うことができなくなってしまう（Ｔ４）。
【先行技術文献】
【特許文献】
【００１１】
【特許文献１】特開２００５−２０８８０７号公報
【特許文献２】特開２００１−４１７９５号公報
【発明の概要】
【発明が解決しようとする課題】
【００１２】
このような従来の電池式警報器には、以下のような課題があった。
上述したとおり、ガス漏れなどの際の連続警報のためには十分な電池電圧が必要である。しかし、電池電圧低下警告中にガスや火災を検知した場合には、ガス漏れ警報や火災警報を連続して警報するための電池容量が十分に残っていないことがある。
【００１３】
例えば、電池電圧低下警告の１０分毎の音声メッセージによる警告を約１秒、１分毎の電子音による警告を約１００ｍｓとする。このとき、電池電圧低下警告が３日間で使用する電池容量は、ガス漏れなど際の音声警報の連続警報時間に換算すると、１４〜１５分（１時間当りの実発報時間１２秒×２４時間×３日間）相当である。
【００１４】
つまり、電池電圧低下警告中となった電池式警報器においては、その電池容量が、１４〜１５分のガス漏れ連続警報を行う余裕しかないということを意味し、十分な電池容量ではない。
【００１５】
なお、他の分野では、例えば、ガスメータにおいて、電池電圧低下検出後３日間（又は７日間）を経過すると、遮断弁が強制的に閉じられてガスが使用できない状態とされ、ガスメータを交換するまではガスを使用できないようにする制御を行っている。しかし、電池式警報器にはそのような制御はなく、電池容量が完全になくなるまで使用され続ける可能性がある。
【００１６】
そのため、次のような状況が考えられる。
電池式警報器が電池電圧低下警告状態となった後に周囲環境がガス漏れ状態となり、さらにガス漏れ警報発報時に使用者が不在の場合（周辺に人がいない場合）、警報器はガス漏れ警報を連続発報する制御を行う。しかし、十分な電池容量がないため、実際には１４〜１５分程度でガス漏れ警報が発報されなくなってしまう。すると、不在の間に完全に電池切れとなって警報器が動作しなくなり、使用者は帰宅した後にガス漏れに気付かないという事態が生じてしまう。
【００１７】
実際の多くの電池式警報器では、上記３日間よりは余裕のある電池残量の時点で電池電圧の低下を検出し、電池電圧低下警告を行うようにしているが、いずれにしても数時間連続でガス漏れ警報発報を可能とするような電池容量の余裕はない。
【００１８】
そこで、電池切れを検出する電池電圧の閾値を高めに設定し、電池残量に十分な余裕がある時点で電池切れを検出する方法も考えられる。
しかし、この場合には、電池容量がまだ十分に残っているにも関わらず電池電圧低下警告を発報することになる。そのため、電池容量を大きく残したまま電池交換（または警報器本体の交換）を行うこととなり、効率的ではない。
【００１９】
以上のとおり、電池式警報器では、電池電圧低下警告後の電池容量に余裕のない状態でガスや火災などの異常状態を検知したときには、十分な警報発報ができない。そのため、電池電圧低下警告後（電池容量に余裕のない状態）における機器の信頼性確保が課題となっている。
【００２０】
そこで、本発明は、上記の課題を解決するために、通常時または電池電圧低下警告後の電池容量に余裕のない状態において、電池式警報器の電池消耗を防止して、機器の信頼性を向上させることを目的とする。
【課題を解決するための手段】
【００２１】
上記の目的を達成するために、本発明によれば、少なくとも１つの検出対象を検出し、その検出レベルを電気信号のレベルに変換して出力する検出部と、該検出部が出力した前記電気信号のレベルが所定の閾値を超えたか否かを判定する制御部と、該制御部により前記電気信号のレベルが所定の閾値を超えたと判定されたとき、前記検出対象に応じた警報を出力する警報部と、前記検出部、前記制御部および前記警報部にそれぞれ作動用電力を与える電池とを具備した電池式警報器であって、さらに前記電池の電圧値を測定する電池電圧測定部を備え、前記警報部によって前記警報が出力される場合に、前記制御部が、前記電池電圧測定部が所定の第１電圧値以下の電圧値を測定したときに前記警報部の音声警報の出力を中止させ、その後、前記電池電圧測定部が前記第１電圧値を上回る電圧値を測定したときに前記音声警報の出力を行わせることを特徴とする電池式警報器とする。
【００２２】
また、上記の目的を達成するために、本発明によれば、少なくとも１つの検出対象を検出し、その検出レベルを電気信号のレベルに変換して出力する検出部と、該検出部が出力した前記電気信号のレベルが所定の閾値を超えたか否かを判定する制御部と、該制御部により前記電気信号のレベルが所定の閾値を超えたと判定されたとき、前記検出対象に応じた警報を出力する警報部と、前記検出部、前記制御部および前記警報部にそれぞれ作動用電力を与える電池とを具備した電池式警報器であって、さらに前記電池の電圧値を測定する電池電圧測定部を備え、前記警報部によって前記警報が出力される場合に、前記制御部が、前記電池電圧測定部が所定の第１電圧値以下の電圧値を測定したときに前記警報部の音声警報の出力を中止させ、その後、前記電池電圧測定部が前記第１電圧値より高い所定の第２電圧値以上の電圧値を測定したときに前記音声警報の出力を行わせることを特徴とする電池式警報器とする。
【００２３】
また、上記の目的を達成するために、本発明によれば、少なくとも１つの検出対象を検出し、その検出レベルを電気信号のレベルに変換して出力する検出部と、該検出部が出力した前記電気信号のレベルが所定の閾値を超えたか否かを判定する制御部と、該制御部により前記電気信号のレベルが所定の閾値を超えたと判定されたとき、前記検出対象に応じた警報を出力する警報部と、前記検出部、前記制御部および前記警報部にそれぞれ作動用電力を与える電池とを具備した電池式警報器であって、さらに前記電池の電圧値を測定する電池電圧測定部を備え、前記警報部によって前記警報が出力される場合に、前記制御部が、前記電池電圧測定部が所定の第１電圧値以下の電圧値を測定したときに前記警報部の音声警報の出力を中止させ、その後、前記電池電圧測定部が前記第１電圧値より大きい電圧値を測定しない場合であっても、所定時間が経過したときに前記音声警報の出力を行わせることを特徴とする電池式警報器とする。
【００２４】
また、上記の目的を達成するために、本発明によれば、少なくとも１つの検出対象を検出し、その検出レベルを電気信号のレベルに変換して出力する検出部と、該検出部が出力した前記電気信号のレベルが所定の閾値を超えたか否かを判定する制御部と、該制御部により前記電気信号のレベルが所定の閾値を超えたと判定されたとき、前記検出対象に応じた警報を出力する警報部と、前記検出部、前記制御部および前記警報部にそれぞれ作動用電力を与える電池とを具備した電池式警報器であって、さらに前記電池の電圧値を測定する電池電圧測定部を備え、前記警報部によって前記警報が出力される場合に、前記制御部が、前記電池電圧測定部が所定の第１電圧値以下の電圧値を測定したときに前記警報部の音声警報の出力を中止させ、前記電池電圧測定部が前記第１電圧値より高い所定の第２電圧値以上の電圧値を測定したときに前記音声警報の出力を行わせ、前記音声警報の出力の中止後、前記電池電圧測定部が前記第２電圧値以上の電圧値を測定しない場合であっても、所定時間が経過したときに前記音声警報の出力を行わせることを特徴とする電池式警報器
とする。
【００２５】
また、本発明によれば、上記の構成において、前記所定時間の経過したときに出力される前記音声警報のパターンが、消費電流の最も少ないものであることを特徴とする電池式警報器とする。
【００２６】
また、上記の目的を達成するために、本発明によれば、少なくとも１つの検出対象を検出し、その検出レベルを電気信号のレベルに変換して出力する検出部と、該検出部が出力した前記電気信号のレベルが所定の閾値を超えたか否かを判定する制御部と、該制御部により前記電気信号のレベルが所定の閾値を超えたと判定されたとき、前記検出対象に応じた警報を出力する警報部と、前記検出部、前記制御部および前記警報部にそれぞれ作動用電力を与える電池とを具備した電池式警報器であって、さらに前記電池の電圧値を測定する電池電圧測定部を備え、前記警報部によって前記警報が出力される場合に、前記電池電圧測定部が、音声警報の所定出力回数ごとに前記電池の電圧値の測定を行い、前記制御部が、Ｎ回目に測定された電圧値とＮ＋１回目に測定された電圧値とを比較し、その差が所定の基準値よりも大きいときに、それ以後の前記音声警報の出力頻度を減少させることを特徴とする電池式警報器とする。
【００２７】
また、上記の目的を達成するために、本発明によれば、少なくとも１つの検出対象を検出し、その検出レベルを電気信号のレベルに変換して出力する検出部と、該検出部が出力した前記電気信号のレベルが所定の閾値を超えたか否かを判定する制御部と、該制御部により前記電気信号のレベルが所定の閾値を超えたと判定されたとき、前記検出対象に応じた警報を出力する警報部と、前記検出部、前記制御部および前記警報部にそれぞれ作動用電力を与える電池とを具備した電池式警報器であって、さらに前記電池の電圧値を測定する電池電圧測定部を備え、前記警報部によって前記警報が出力される場合に、前記電池電圧測定部が、音声警報の所定出力回数ごとに前記電池の電圧値の測定を行い、前記制御部が、Ｎ回目に測定された電圧値とＮ＋１回目に測定された電圧値とを比較し、その比率が所定の基準割合よりも大きいときに、それ以後の前記音声警報の出力頻度を減少させることを特徴とする電池式警報器とする。
【００２８】
また、本発明によれば、上記の構成において、前記警報部が、前記警報の出力に基づいて前記音声警報および警報表示を開始し、前記音声警報の出力の中止または出力頻度の減少を行っている間であっても前記警報表示を継続して行うことを特徴とする電池式警報器とする。
【００２９】
また、上記の目的を達成するために、本発明によれば、少なくとも１つの検出対象を検出し、その検出レベルを電気信号のレベルに変換して出力する検出部と、該検出部が出力した前記電気信号のレベルが所定の閾値を超えたか否かを判定する制御部と、該制御部により前記電気信号のレベルが所定の閾値を超えたと判定されたとき、前記検出対象に応じた警報を出力する警報部と、前記検出部、前記制御部および前記警報部にそれぞれ作動用電力を与える電池とを具備した電池式警報器であって、さらに前記電池の電圧値を測定する電池電圧測定部を備え、前記制御部が、あらかじめ電圧値の所定範囲ごとに出力する音声警報の出力頻度を記憶し、前記警報部が前記警報に基づいて前記音声警報および警報表示を出力する際に、前記音声警報については、前記制御部が、前記電池電圧測定部が測定した電圧値とあらかじめ記憶された前記所定範囲ごとの電圧値とを比較し、それぞれに応じた出力頻度で出力させることを特徴とする電池式警報器とする。
【００３０】
また、本発明によれば、上記の構成において、あらかじめ記憶された電圧値の前記所定範囲ごとの前記音声警報の出力頻度が、前記電圧値が少ない数値となることに伴って前記出力頻度が減少するように設定されていることを特徴とする電池式警報器とする。
【００３１】
また、本発明によれば、上記の構成において、あらかじめ記憶された電圧値の前記所定範囲ごとの前記音声警報の出力頻度が、最低でも前記検出部の検出周期の一周期ごとに１回は出力するように設定されていることを特徴とする電池式警報器とする。
【００３２】
また、本発明によれば、上記の構成において、前記電池と並列に接続され、前記制御部の指令を受けて前記電池から前記検出部、前記制御部および前記警報部に流れる合成最大電流値と略等しい電流を流す擬似負荷部を備え、前記電池電圧測定部は、前記警報部によって前記警報が出力されていない状態で前記疑似負荷部に電流が流れているとき、前記電池の電圧値を測定することを特徴とする電池式警報器とする。
【００３３】
また、本発明によれば、上記の構成において、前記電池電圧測定部は、前記警報部によって前記警報が出力されている状態で前記音声警報の１回の出力のうち最も消費電力が大きくなるタイミングで前記電池の電圧値を測定することを特徴とする電池式警報器とする。
【発明の効果】
【００３５】
本発明により、通常時または電池電圧低下警告後の電池容量に余裕のない状態における電池式警報器の電池消耗を防止して、機器の信頼性を向上させることができる。
【図面の簡単な説明】
【００３６】
【図１】本発明の第１の実施例の電池式警報器の内部構成の一例を示す概略構成ブロック図である。
【図２】本発明の第１の実施例の電池式警報器の音声警報の発報のタイムチャートを示す図である。
【図３】本発明の第１の実施例のガス漏れ警報中の電池式警報器の電池電圧測定タイミングを示す図である。
【図４】本発明の第１の実施例の電池式警報器の音声警報の発報のフローチャートを示す図である。
【図５】本発明の第２の実施例の電池式警報器の電池電圧範囲と音声警報発生頻度との関係を示す図である。
【図６】本発明の第２の実施例の電池式警報器の音声警報の発報のタイムチャートを示す図である。
【図７】本発明の第３の実施例の電池式警報器の音声警報の発報のタイムチャートを示す図である。
【図８】従来の電池式警報器の音声警報の発報のタイムチャートを示す図である。
【発明を実施するための形態】
【００３７】
以下に、図面を参照しながら、本発明の実施の一形態について説明する。ただし、以下の記載は、あくまでも本発明の例示であり、これに限定されるものではない。つまり、当分野で通常の知識を有する者によって、本発明の技術的思想内で多くの変形実施を行うことが可能である。
【実施例】
【００３８】
〔第１の実施例の電池式警報器の内部構成：図１〕
最初に、図１により、本発明の第１の実施例の電池式警報器の内部構成を説明する。
図１は、本発明の第１の実施例の電池式警報器の内部構成の一例を示す概略構成ブロック図である。１はガスセンサ、２はヒータ抵抗、３はセンサ抵抗、４は負荷抵抗、５は電池部、６はＳＷ１、７はＳＷ２、８は制御回路部、８ａは電池電圧測定部、８ｂは計数部、８ｃは記憶部、９は警報部、１０は警報音出力部、１１は警報表示部、１２は外部警報出力部、１３は周囲温度検出部、１４は擬似負荷、１５はＳＷ３、１６は電源回路部である。なお、本実施例では省略するが、ガスセンサの他に、ＣＯセンサや火災センサを搭載する場合もある。
【００３９】
先ず、ガス検出手段として、検知対象ガスを検出するガスセンサ１内には、センサを加熱するためのヒータ抵抗２と周囲ガスの濃度に応じたガス濃度を検出するためのセンサ抵抗３が備えられている。さらに、ガス検出手段を構成するものとして、負荷抵抗４、ＳＷ１（６）、ＳＷ２（７）が設けられている。なお、ＳＷ１（６）およびＳＷ２（７）はトランジスタスイッチである。
【００４０】
また、電源供給手段として、電池部５および電源回路部１６が設けられている。電池部５は電源を供給し、電源回路部１６では電圧の降圧または昇圧を行い、電池部５から出力される出力電圧を安定化された一定電圧にして制御回路部８へ供給する役割を担う。
【００４１】
制御回路部８は、警報器全体の動作を制御するマイコンである。制御回路部８には、電池部５の電圧値を測定する電池電圧測定部８ａ、警報回数をカウントする計数部８ｂ、警報器の初期設定値やプログラム、データ等を保持する記憶部８ｃを備えている。
【００４２】
また、制御回路部８には周囲温度検出部１３および警報部９が接続されている。周囲温度検出部１３では、ガス濃度の温度補正計算などを行う。警報部９は、警報音出力部１０、警報表示部１１、外部警報出力部１２を備えている。警報音出力部１０は、警報音等の音を発する部分であり、例えばスピーカーやブザーなどで構成される。警報表示部１１は、ＬＥＤ（発光ダイオード）で構成されている。外部警報出力部１２は、外部機器へ警報信号の出力を行う。
【００４３】
そのほか、制御回路部８からＳＷ３（１５）を介して駆動される擬似負荷１４が設けられている。擬似負荷１４は、回路の最大負荷に相当する抵抗値をもつ抵抗器で構成されている。ＳＷ３（１５）はトランジスタスイッチである。
【００４４】
以上が、本発明の第１の実施例の電池式警報器の構成である。
〔第１の実施例の電池式警報器の動作〕
次に、本発明の第１の実施例の電池式警報器の動作を説明する。
【００４５】
電池部５は、３ボルトの電源を供給し、回路全体へ電圧を供給する。電池部５からの電圧は、電源回路部１６において降圧または昇圧され、一定の電圧として回路に供給される。
【００４６】
電源回路部１６で降圧または昇圧された電圧は、ガス検出手段であるセンサ系回路に供給される。上述のとおり、ガス検出手段は、ガスセンサ１内のヒータ抵抗２、センサ抵抗３、負荷抵抗４、ＳＷ１（６）、ＳＷ２（７）から構成されている。
【００４７】
ガス検出時、制御回路部８は、出力端子ＯＵＴ１およびＯＵＴ２を介してトランジスタスイッチのＳＷ１（６）およびＳＷ２（７）をオンし、ガスセンサ１内のヒータ抵抗２とセンサ抵抗３と負荷抵抗４とを備えるセンサ系回路を動作させる。
そして、制御回路部８では、ＡＤ（アナログ−ディジタル）変換入力端子ＡＤ１を介してガスセンサ１のセンサ出力電圧を検出し、センサ出力が所定のガス濃度になっているか否かの判定を行い、ガス漏れ検出が行われる。
【００４８】
なお、周囲温度検出部１３では、ＡＤ変換入力端子ＡＤ２を介して周囲温度値を制御回路部８へ入力し、制御回路部８に周囲温度に基づくガス濃度の温度補正計算などを実施させる。
【００４９】
ここで、制御回路部８でガス漏れ判定とされた場合、警報部９の警報音出力部１０は、制御回路部８からの制御に基づいて、音声メッセージや電子音によってガス漏れ状態を外部へ報知する。さらに、警報表示部１１は、ＬＥＤの点滅・点灯によって警報状態をＬＥＤ表示させて外部へ知らせる。また、外部警報出力部１２は、ガスメータや集中監視盤などの外部機器に対して警報信号の出力を行う。これらにより、周囲にガス漏れが報知される。
【００５０】
以上が、本発明の第１の実施例の電池式警報器の動作である。
〔第１の実施例の電池式警報器の電池電圧低下の判定の動作〕
続いて、本発明の第１の実施例の電池式警報器の電池電圧低下の判定の動作を説明する。
【００５１】
ガス漏れ警報を発報しない状態（通常時）では、電池電圧低下のチェックに際し、擬似負荷１４を使用する。擬似負荷１４は、制御回路部８の信号によりトランジスタＳＷ３（１５）を介して駆動される。
【００５２】
制御回路部８の電池電圧測定部８ａは、電池電圧チェックのタイミングになると、トランジスタＳＷ３（１５）をオンし、擬似負荷１４に電流を流し、そのときの電池電圧値をＡＤ変換入力端子ＡＤ３より読み込む。さらに、警報音出力部１０を動作させたときの電池電圧値をＡＤ変換入力端子ＡＤ３より読み込む。これにより、電池電圧が低下しているか否かの判定を行う。
【００５３】
一方、ガス漏れ警報の発報中においては、制御回路８の電池電圧測定部８ａが、擬似負荷１４を使用せずＡＤ３から電池電圧を読み込み、電池電圧が低下しているか否かの判定を行う。
【００５４】
いずれの場合も、電池電圧が低下していると判定された場合には、電池電圧低下警告音（音声メッセージ「電池切れです」および、電子音「ピッ」の音声発報）が発報される。
以上が、本発明の第１の実施例の電池式警報器の電池電圧低下の判定の動作である。
【００５５】
〔第１の実施例の電池式警報器の音声警報の発報のタイムチャート：図２〕
次に、図２により、本発明の第１の実施例の電池式警報器のガス漏れ音声警報の発報のタイムチャートを説明する。
【００５６】
図２は、本発明の第１の実施例の電池式警報器のガス漏れ音声警報の発報のタイムチャートを示す図である。
先ず、初期からＴ１までのガス検知では、ガス濃度は、所定ガス濃度（警報レベル）を超えていない。そのため、周囲にガスがない状態であると判定し、警報を行わない。
【００５７】
Ｔ１以降のガス検知では、ガス濃度が所定ガス濃度を超えている（Ｔ１）。そのため、周囲にガスがある状態であると判定し、ガス漏れ警報（音声警報・警報表示）を開始する。
【００５８】
そして、ガス漏れ音声警報が継続すると、徐々に電池電圧が低下する。このとき、制御回路部８の電池電圧測定部８ａでは、ＡＤ３から音声警報時の電池電圧を読み込み、電池電圧が低下しているかどうかを判定する。上述のとおり、通常時の電池電圧チェックで使用する擬似負荷１４の回路は使用しない。
【００５９】
さらに音声警報が続くと、電池消耗により電池電圧は低下し続ける。そして、所定の第１電圧値を下回ると、音声警報を休止し警報表示を継続する動作を行う（Ｔ２）。
ここで、所定の第１電圧値は、機器が動作できなくなる電圧よりも高い電圧値（例えば０．１〜０．２Ｖ高い電圧）とする。つまり、図１の電源回路部１６が昇圧回路である場合には、昇圧回路の最低動作電圧よりも高い電圧値とする。例えば、昇圧回路の最低動作電圧が１．０Ｖであれば、１．１〜１．２Ｖとする。
【００６０】
音声警報を休止すると、音声警報の休止中の機器の消費電流は、音声警報時の１／１００以下となる。従って、音声警報による大電流での放電がなくなることにより、電池電圧は徐々に回復する。一般的に、電池は、大電流放電が続くと徐々に電圧が低下し、放電を停止すると徐々に電圧が回復する。
【００６１】
そして、音声警報の休止中に電池電圧が回復し、第１電圧値よりも大きい所定の第２電圧値となった場合に、音声警報を再開する（Ｔ３）。なお、第２電圧値は、第１電圧値よりも高い電圧値であり、例えば１．３〜１．４Ｖとする。
【００６２】
さらに、ガス漏れが継続するような状況では、上記の動作を繰り返す（Ｔ４〜Ｔ６）。
その後、換気などにより、周囲のガス濃度が所定ガス濃度よりも低下すると、警報は停止される（Ｔ６）。
【００６３】
以上が、本発明の第１の実施例の電池式警報器の音声警報の発報のタイムチャートの説明である。
〔第１の実施例のガス漏れ警報中の電池式警報器の電池電圧測定タイミング：図３〕
次に、図３により、本発明の第１の実施例のガス漏れ警報中の電池式警報器の電池電圧測定を行うタイミングについて説明する。
【００６４】
図３は、本発明の第１の実施例のガス漏れ警報中の電池式警報器の電池電圧測定タイミングを示す図である。
音声警報中は、その音声内容により消費電流が変化するため、電池電圧も変化する。そのため、図３では、一つの音声警報中の電圧の変化を示している。つまり、図２の音声警報メッセージ「ウーウー  ピッピッピッピッ  ガスがもれていませんか」の間に、図３のような電圧の上下が繰り返される。そして全体としては、図２のように徐々に電圧が低下して行くことになる。
【００６５】
一般に、電池には内部抵抗があるため大電流を流すほど電池電圧の低下は大きくなる。特に、放電末期の電池では、電池内部抵抗が大きく上昇する。そのため、音声警報のような大電流放電時には、電池電圧の低下が大きくなる。
【００６６】
図３の「警報音（例）」には、ガス漏れ時の音声警報の音声波形が示されている。ここでは、２回目の「ウー」の警報の際に最も電池電圧が低くなることがわかる。これは、このときに最もスピーカーからの出力が大きくなり、消費電流が最大となるためである。また、電池電圧の回復も遅いため１回目の「ウー」よりも電圧が低下している。
【００６７】
ここで、制御回路部８の電池電圧測定部８ａでは、電池電圧の最下点となったタイミングを検出するために、Ｔ２のタイミングで電池電圧の検出を行う。Ｔ２までのカウントは、音声開始（Ｔ１）から制御回路８の計数部８ｂで時間経過をカウントし、Ｔ２のタイミングになった時点で電池電圧の読み込みを行う。
【００６８】
なお、音声警報と電池電圧の関係は、音声警報の内容（ガス漏れ警報、ＣＯ警報や火災警報など）によって変化する。そのため、それぞれの警報音に応じて監視タイミングを適宜最適な値（電池電圧の最下点）に設定する。設定に際しては、電池の種類（リチウム電池なのかアルカリ電池なのか）によっても大きく変わるため、電池の種類も考慮して適宜最適な値を設定する。
【００６９】
以上が、本発明の第１の実施例のガス漏れ警報中の電池式警報器の電池電圧測定を行うタイミングについての説明である。
〔第１の実施例の電池式警報器の音声警報の発報のフローチャート：図４〕
続いて、図４により、本発明の第１の実施例の電池式警報器の音声警報の発報のフローチャートについて説明する。
【００７０】
図４は、本発明の第１の実施例の電池式警報器の音声警報の発報のフローチャートを示す図である。
本フローチャートによる処理は、ガス漏れなどの異常が検出されて音声警報が実行されている間において、制御回路部８によって繰り返し行われる。
【００７１】
最初に、制御回路部８は、音声警報中の現在の状態が電池電圧低下中であるか否かを判定する（Ｓ１）。電池電圧低下中でない場合には、電池残量がまだ十分にあると判断して、処理を終了する（Ｓ１でＮ）。このときは、上述のとおり、制御回路部８の電池電圧測定部８ａが、擬似負荷１４を使用せずＡＤ３から電池電圧を読み込み、電池電圧が低下しているか否かの判定を行う。
【００７２】
電池電圧低下成立中であれば、制御回路部８は、電池電圧測定タイミングであるか否かを判定する（Ｓ２）。電池電圧測定のタイミングになっているか否かは、制御回路部８の計数部８ｂによる制御に基づいて判定される。電池電圧測定のタイミングとなっていなければ、制御回路部８は処理を終了する（Ｓ２でＮ）。
【００７３】
電池電圧測定のタイミングとなっていれば、制御回路部８の電池電圧測定部８ａがＡＤ３より電池電圧値を読み込む（Ｓ３）。
さらに、制御回路部８は、現在の状態が所定の第１電圧値以下の状態（音声警報休止中）であるか否かを判定する（Ｓ４）。
【００７４】
現在の状態が第１電圧値以下の状態（音声警報休止中）でなければ（Ｓ４でＮ）、制御回路部８は、読み込んだ電池電圧値が所定の第１電圧値以下か否かの判定を行う（Ｓ５）。
【００７５】
電池電圧値が第１電圧値以下であれば（Ｓ５でＮ）、制御回路部８は、音声警報を休止する（Ｓ６）。
電池電圧値が第１電圧値より大きければ、制御回路部８は、処理を終了する。
【００７６】
一方、ステップＳ４で、現在の状態が第１電圧値以下の状態（音声警報休止中）であると制御回路部８が判定したとき（Ｓ４でＹ）、音声警報の休止を開始してから所定時間（１分）経過しているか否かを判定する（Ｓ７）。
【００７７】
所定時間を経過している場合（Ｓ７でＹ）、制御回路部８は、音声警報を強制的に再開する（Ｓ９）。なお、強制的に音声警報を再開する場合には、電池電圧が十分に回復していないことを考慮し、電流をあまり使用しない「ピッピッピッピッ」の電子音のみを行うこととしても良い。
【００７８】
ステップＳ７で所定時間が経過していない場合（Ｓ７でＮ）、制御回路部８は、読み込んだ電池電圧値が所定の第２電圧値以下となっているか否かの判定を行う（Ｓ８）。
電池電圧値が所定の第２電圧値以上となっていれば（Ｓ８でＹ）、制御回路部８は、電池電圧が復帰したと判断し、音声警報を再開する（Ｓ９）。
【００７９】
ステップＳ８で電池電圧値が所定の第２電圧値より小さければ、制御回路部８は、処理を終了する（Ｓ８でＮ）。
以上が、本発明の第１の実施例の電池式警報器の音声警報の発報のフローチャートについての説明である。
【００８０】
〔第１の実施例の効果〕
かくして本発明の第１の実施例によれば、音声警報が長時間継続したような場合であっても、急激に電池がなくなって機器が動作できなくなる前に音声警報を休止することで、機器の全機能停止を防止している。
【００８１】
また、電池式警報器の電池電圧低下中（＝電池電圧低下警告〜新たな機器または電池への交換までの間）にガス漏れなどの異常が発生した場合において、警報時間を従来よりも長くすることができる。
【００８２】
従って、本発明の電池式警報器は、周囲に人が不在の間にガス漏れなどの警報状態に陥った場合でも、電池の消耗を抑えながら警報を継続することができる。
また、本発明の電池式警報器は、電池式警報器が正常に動作できなくなるまでの期間を従来よりも長くすることができるため、使用者にとっての安全性を向上させることができる。
【００８３】
そのほか、電池電圧は時間経過とともに回復する傾向があるため、音声警報の休止中に電池電圧の回復が期待できる。つまり、音声警報は、警報表示（ＬＥＤ）の１００倍以上の消費電流を必要とするため、音声警報を一時的に休止することで、電池電圧の回復が見込める。従って、本発明の電池式警報器は、電池電圧の回復を監視し、電池電圧が回復すれば再び音声警報を行って注意を促すことができる。
【００８４】
特に、本発明の電池式警報器は、第１電圧値と、第１電圧値よりも高い数値の第２電圧値をそれぞれ設定したことにより、電池電圧を十分に回復させてから再び音声警報を行うことできる。
【００８５】
電池電圧低下警告後も信頼性を損なうことなく機器を使用することができるため、本発明の電池式警報器は、電池交換または本体交換するまでの間の安全を確保することができる。
【００８６】
［第２の実施例の電池式警報器の電池電圧範囲と音声警報発生頻度との関係：図５］
次に、本発明の第２の実施例の電池式警報器を説明する。説明に際しては、第１の実施例と共通する箇所は省略し、相違する箇所を中心に説明する。
【００８７】
先ず、図５により、第２の実施例の電池式警報器の電池電圧範囲と音声警報発生頻度との関係を説明する。
図５は、電池式警報器の電池電圧範囲と音声警報発生頻度との関係を示す図である。
【００８８】
第２の実施例の電池式警報器では、制御回路部８の電池電圧測定部８ａが、読み込んだ電池電圧値に従って音声警報の報知頻度を変更する。なお、あらかじめ制御回路部８の記憶部８ｃには、図５の電池電圧範囲と音声警報報知頻度との関係が記憶されている。
【００８９】
先ず、測定した電池電圧が、２．２Ｖ以上の場合には、音声警報は連続して発報される（発生頻度：１）。
測定した電圧が、２．０〜２．２Ｖであれば、音声警報の報知頻度を１／２とし、１回毎に音声警報を間引いて出力する処理を行う。例えば、音声警報を出力している時間が５秒であれば、音声警報を５秒行い、休止時間を５秒とする。
【００９０】
測定した電圧が、１．８〜２．０Ｖであれば、音声警報の報知頻度を１／３とし、１回毎に２回分の音声警報時間を休止する。例えば、音声警報している時間が５秒であれば、音声発報を５秒行い、休止時間を１０秒とする。
【００９１】
以後、上記と同様に、図５に記載のとおりに各電池電圧範囲に合わせて音声警報の報知頻度を変化させ、電池容量の急激な減少を抑制する。
なお、ここで、音声警報を休止する時間は、長い時間の方が電池消耗の度合いが低下するため有効である。しかし、音声警報の休止時間を長くし過ぎると、警報の緊迫度が薄れたり、警報自体に周囲の人が気付きにくくなるなどの問題が考えられる。
【００９２】
そのほか、ガス漏れが生じた後、窓が開けられて換気されるとガス濃度は低下して警報が解除されるが、音声警報の休止時間が長過ぎると、警報が解除されて安全な状態に復帰したこと（ガス濃度が低下したこと）が周囲の人にとって気付かれにくくなるなどの問題も考えられる。
【００９３】
そのため、音声警報の報知頻度は、少なくともガス漏れの検知周期以内の時間に抑えておくのがよい。例えば、ガス漏れの検知周期が３０秒毎であれば、最低でも３０秒に１回（５秒発報・２５秒休止）は音声警報を行うことが好ましい。
【００９４】
なお、上記の電池電圧値や発生頻度は一例であり、機器の最低動作電圧や警報の緊迫度が薄れないように適宜最適な値に設定されるものである。
以上が、第２の実施例の電池式警報器の電池電圧範囲と音声警報報知頻度との関係の説明である。
【００９５】
［第２の実施例の電池式警報器の音声警報の発報のタイムチャート：図６］
続いて、図６により、第２の実施例の電池式警報器の音声警報の発報のタイムチャートを説明する。
【００９６】
図７では、初期からＴ１までのガス検知では、所定ガス濃度を超えていない。そのため、周囲にガスが無い状態であると判定し、警報は行わない。
Ｔ１以降のガス検知では、ガス濃度が所定ガス濃度を超えている。そのため、周囲にガスがある状態であると判定し、ガス漏れ警報（音声警報・警報表示）を開始する。
【００９７】
このとき、上記の実施例と同様、制御回路部８の電池電圧測定部８ａは、音声警報中の電池電圧値の読み込みを行う。
音声警報が継続すると徐々に電池電圧が低下し、さらに音声警報が継続すると電池消耗により電池電圧はさらに低下し続ける（Ｔ１〜Ｔ２）。
【００９８】
そして、電池電圧が２．２Ｖを下回ったときに、図５の表のとおり、音声警報の報知頻度を１／２に変更する(Ｔ２)。しかし、さらに音声警報が継続するような状態では、電池電圧はさらに低下し続ける。
【００９９】
そのため、電池電圧が２．０Ｖを下回ったときには、図５のとおり、音声警報の報知頻度が１／３に変更される（Ｔ３）。
以後、上述のとおり、本発明の電池式警報器は、測定された電池電圧の値によって音声警報の報知頻度を変化させる処理を行う。
【０１００】
以上が、第２の実施例の電池式警報器の音声警報の発報のタイムチャートの説明である。
［第２の実施例の効果］
かくして本発明の第２の実施例によれば、あらかじめ音声警報中の電池電圧範囲が複数段階に分けられ、各電池電圧範囲ごとに音声警報の出力回数が設定されている。そして、実際の音声警報中には、そこで測定された各電池電圧値に応じた出力回数に音声警報の報知頻度が変更される。従って、本発明の電池式警報器は、音声警報中の電池電圧の低下に伴って音声警報の報知頻度を少なくすることにより、電池消耗を抑えて音声警報が継続可能時間を長くすることができる。電池電圧低下警告後の電池式警報器においては、特に有効である。
【０１０１】
また、本発明の電池式警報器は、音声警報の報知頻度を変更することにより、大電流放電を必要とする音声警報の発報後に電池電圧の回復時間を設けることができる。そのため、本発明の電池式警報器は、電池容量を最後まで使用することができるようになる。本発明の電池式警報器では、電池を最後まで効率よく使用できるため、電池本数の削減が可能となり、コスト抑制や機器の小型化・軽量化も可能となる。
【０１０２】
［第３の実施例の電池式警報器の音声警報の発報のタイムチャート：図７］
続いて、本発明の第３の実施例の電池式警報器を説明する。説明に際しては、第１または２の実施例と共通する箇所は省略し、異なる箇所を中心に説明する。
【０１０３】
先ず、図７により、第３の実施例の電池式警報器の音声警報の発報のタイムチャートを説明する。
図７では、初期からＴ１までのガス検知では、所定ガス濃度を超えていない。そのため、制御回路部８は、周囲にガスが無い状態であると判定して警報を行わない。
【０１０４】
Ｔ１以降のガス検知では、ガス濃度が所定ガス濃度を超えている。そのため、制御回路部８は、周囲にガスがある状態と判定し、ガス漏れ警報（音声警報・警報表示）を開始する。
【０１０５】
このとき、第１および第２の実施例と同様、制御回路部８の電池電圧測定部８ａが音声警報中の電池電圧値の読み込みを行う。第３の実施例では、読み込んだ電池電圧値を、制御回路部８内部の記憶部８ｃ（ＲＡＭ）に記録し、一時的に電池電圧データを保管する。
【０１０６】
音声警報を開始すると、先ず、制御回路部８は、音声警報１回目の際の電池電圧値Ｖ１を読み込んで記憶部８ｃに記録する（Ｔ１）。
さらに音声警報が続く場合において、制御回路部８の電池電圧測定部８ａは、音声警報５回毎に電池電圧値の読み込みを行う。例えば、２度目の電池電圧値の読み込みは、６回目の音声警報時に行い、読み込んだ電池電圧値をＶ２とする。
【０１０７】
そして、制御回路部８では、１度目の電池電圧値と２度目の電池電圧値との差（△Ｖ１＝Ｖ１−Ｖ２）を計算する。△Ｖ１が所定の値より小さい場合（変化が小さい場合：例えば０．０５Ｖ未満）には、そのまま音声警報を継続する（Ｔ３）。
【０１０８】
その後、次の５回目の音声警報時（通算では１１回目の音声警報時）において、制御回路部８の電池電圧測定部８ａは、３度目の電池電圧値Ｖ３を読み込みを行い、記憶部８ｃに記録する。
【０１０９】
そして、制御回路部８では、２度目の電池電圧値と３度目の電池電圧値との差（△Ｖ２＝Ｖ２−Ｖ３）を計算する。ここで、△Ｖ２が所定の値より大きい場合（変化が大きい場合：例えば０．０５Ｖ以上）には、音声警報の報知頻度を変化させ（Ｔ４）、以降の音声警報の発生頻度を１／２とする。
【０１１０】
以後、上述のとおり、本発明の電池式警報器は、所定の回数の音声警報時において行われた電池電圧値を比較し、その差によって音声警報の報知頻度を変化させる処理を行う。
以上が、第３の実施例の電池式警報器の音声警報の発報のタイムチャートの説明である。
【０１１１】
［第３の実施例の効果］
かくして本発明の第３の実施例によれば、次の効果を達成することができる。
通常、電池は放電末期になると急激に内部抵抗が上昇し、音声警報のような大電流の放電条件では電池電圧の低下が急激に大きくなる。
【０１１２】
しかし、第３の実施例では、読み込んだ電池電圧の比較を行うことで、電池電圧値の変化を捉え、それに伴って音声警報の報知頻度を変更している。そのため、本発明の電池式警報器は、放電末期における電池電圧低下を的確に検出して、特に電池電圧低下警告後において、ガス漏れなどの異常を検知した際の音声警報の継続可能な発報時間を従来よりも長くすることができる。
【０１１３】
［第１電圧値および第２電圧値について］
上記の実施例では、第１電圧値を機器が動作できなくなる電圧よりも高い電圧値とし、第２電圧値をそれよりもさらに高い電圧値としているが、これに限定されるものではない。
【０１１４】
例えば、電池の放電末期（９０％電池使用時）には、電池の内部抵抗が上昇するため、音声警報に伴う電池電圧の低下が大きくなる。そのため、第１電圧値と第２電圧値の差を大きく設定する必要があるほか、ばらつきも大きくなってしまう。
【０１１５】
そこで、Ｔ１になったタイミング（図２における警報発報直前の状態）で電池電圧の測定を行い、このときの測定値を第１電圧値として設定することもできる。
これにより、第１電圧値と第２電圧値の判定条件を同じ軽負荷状態（音声警報が発報されていない消費電流最小の状態）とすることができるため、より正確に第１電圧値および第２電圧値を検出することができる。
【０１１６】
［電池電圧低下警告と音声警報の休止および報知頻度変更との関係について］
上記の実施例は、電池電圧低下警告後の状態であっても、通常時であっても適用することができる。
【０１１７】
なお、例えば、第１電圧値を電池電圧低下警告の電圧値よりも高く設定（電池電圧低下検出電圧＜所定第１電圧）することにより、電池電圧低下警告前の段階において、音声警報の休止や報知頻度の変更を行って電池消耗をより適切に抑えることができる。
【０１１８】
［音声警報の報知頻度の変更について］
上記の実施例では、音声警報の報知頻度の変更に際し、所定の回数に測定された電池電圧値とその次の回に測定された電池電圧値との差を、基準となる値と比較して報知頻度の変更を行っているが、これに限定されるものではない。
【０１１９】
例えば、本発明の電池式警報器は、所定の回数に測定された電池電圧値とその次の回に測定された電池電圧値との比率を演算し、その比率が基準となる割合より大きいときに音声警報の報知頻度を変更するように制御することもできる。
【符号の説明】
【０１２０】
１    ガスセンサ
２    ヒータ抵抗
３    センサ抵抗
４    負荷抵抗
５    電池部
６    ＳＷ１
７    ＳＷ７
８    制御回路部
８ａ  電池電圧測定部
８ｂ  計数部
８ｃ  記憶部
９    警報部
１０  警報音出力部
１１  警報表示部
１２  外部警報出力部
１３  周囲温度検出部
１４  擬似負荷
１５  ＳＷ３
１６  電源回路部
【図１】
0005974537.tif 000002
【図２】
0005974537.tif 000003
【図３】
0005974537.tif 000004
【図４】
0005974537.tif 000005
【図５】
0005974537.tif 000006
【図６】
0005974537.tif 000007
【図７】
0005974537.tif 000008
【図８】
0005974537.tif 000009